(57)【要約】【課題】自動車車体の開口縁部に取付けられ、内装材の端部が挿入される凹溝を備えた取付部と、該取付部に一体形成され、ドア閉時にドア周縁に弾接するシール部を有し、前記凹溝には、蓋状のバリが設けられるウェザストリップにおいて、取付時の作業性を改善させ、取付状態を安定化させる。【解決手段】バリ１５は凹溝１４の溝幅方向における一端が凹溝１４を構成する側壁１４ａ、１４ｂのうちの一方の側壁１４ａに一体形成されると共に、他端が凹溝１４を構成する側壁１４ａ、１４ｂのうちの他方の側壁１４ｂと内装材端部１７ａの押込みによって容易に分断される程の強度の小さな連結部１６によって連結される。【選択図】図４
2014034258.tif 000002
【特許請求の範囲】
【請求項１】
自動車車体のドア開口縁部に取付けられ、ドア閉時にドア6との間をシールするウェザストリップ１１であって、前記ドア開口縁部に取付けられ、内装材１７の端部が挿入される凹溝１４を備えた取付部１２と、該取付部１２に一体形成され、ドア閉時にドア周縁に弾接するシール部３を有し、前記凹溝１４には、蓋状のバリ１５が設けられるウェザストリップにおいて、前記バリ１５は凹溝１４の溝幅方向における一端が凹溝１４を構成する側壁１４ａ、１４ｂのうちの一方の側壁１４ａに一体形成されると共に、他端が溝を構成する側壁１４ａ、１４ｂのうちの他方の側壁１４ｂと分離されるか、或いは該他方の側壁１４ｂと内装材端部１７ａの押込みによって容易に分断される程の強度の小さな連結部１６によって連結されることを特徴とするウェザストリップ。
【請求項２】
前記バリ１５には前記内装材端部１７ａの押込みによって折り曲げられる箇所が薄肉部１５ａに形成されることを特徴とする請求項１記載のウェザストリップ。
【請求項３】
前記取付部１２は所要箇所において車体のドア開口縁部にクリップ５によって止着されることを特徴とする請求項１又は２記載のウェザストリップ。
【発明の詳細な説明】
【技術分野】
【０００１】
本発明は、自動車車体のドア開口縁部に取付けられ、ドア閉時にドアとの間をシールするウェザストリップに関する。
【背景技術】
【０００２】
図２は、図１に示す自動車のロアボデー部に取付けられるウェザストリップの取付構造である、図１のＡ−Ａ線断面を示すもので、ウェザストリップ１は、中空状の取付基部２と、該取付基部２に一体形成される中空状のシール部３よりなり、取付基部２はロアボデーを構成するパネル４にクリップ５によって止着され、シール部３はドア閉時にドア６のロア周縁に弾接してシールされるようになっている。図中、７は内装材（キッキングプレート）である。
【０００３】
ウェザストリップの取付構造に関しては、ウェザストリップがバリを設けた凹溝を備える本体部と、該本体部の車外側に突設される中空シール部を有し、本体部の凹溝よりバリを除去したのち、室内トリムの端部を挿入し、該トリム端部で本体部をフランジに押付けてウェザストリップをボデーに固定する構造のものも知られる（特許文献１）。
【先行技術文献】
【特許文献】
【０００４】
【特許文献１】特開２００２−１２７８４１号
【発明の概要】
【発明が解決しようとする課題】
【０００５】
ウェザストリップの取付基部をクリップによって止着したものでは、止着箇所間で、ウェザストリップがうねったようになり、外観を損ないがちとなる。うねりを少なくするため、クリップによる止着箇所を多くし、ピッチを小さくすれば、その分重量も増し、コスト増をもたらす。この点、特許文献１に開示されるもののように、室内トリムを利用し、その端部を本体部の凹溝に挿入してウェザストリップを固定するものでは、前記の問題を解消できるが、なお改善する余地がある。
【０００６】
本発明は、前記特許文献１に開示されるウェザストリップについて改良を加え、ウエザストリップ取付構造の軽量化とコストダウン及びウェザストリップ取付時の作業性を改善させ、取付状態を安定化させることを目的とする。
【課題を解決するための手段】
【０００７】
請求項１に係る発明は、自動車車体のドア開口縁部に取付けられ、ドア閉時にドアとの間をシールするウェザストリップであって、前記ドア開口縁部に取付けられ、内装材の端部が挿入される凹溝を備えた取付部と、該取付部に一体形成され、ドア閉時にドア周縁に弾接するシール部を有し、前記凹溝には、蓋状のバリが設けられるウェザストリップにおいて、前記バリは凹溝の溝幅方向における一端が凹溝を構成する側壁のうちの一方の側壁に一体形成されると共に、他端が溝を構成する側壁のうちの他方の側壁と分離されるか、或いは該他方の側壁と内装材端部の押込みによって容易に分断される程の強度の小さな連結部によって連結されることを特徴とし、
請求項２に係る発明は、請求項１に係る発明において、前記バリには前記内装材端部の押込みによって折り曲げられる箇所が薄肉部に形成されることを特徴とする。
【０００８】
請求項３に係る発明は、請求項１又は２に係る発明において、前記取付部は所要箇所において車体のドア開口縁部にクリップによって止着されることを特徴とする。
【発明の効果】
【０００９】
請求項１に係る発明のウェザストリップによると、自動車車体のドア開口縁部に内装材を利用して取付けられるため、ウエザストリップをクリップを用いて取付ける取付構造に比べ、軽量化され、コストダウンを図ることができると共に、うねりを生ずることがなく、見栄えが向上する。またバリで支えることにより凹溝が潰れるのを防止することができ、バリで凹溝の溝巾が確保されることにより、内装材端部を挿入するのが容易に行えるほか、内装材端部を押込む際、バリが折り曲げられて凹溝内に挿入されるようになり、バリを除去する必要がないため、除去作業を要しない分、作業性が向上すると共に、バリゴミが発生しない。また凹溝内に押込まれたバリは、その復元力で内装材端部に押付けられるようになり、内装材端部への保持性が向上する。
【００１０】
請求項２に係る発明のウェザストリップによると、内装材の端部挿入時にバリが折り曲げられ押込まれ易くなり、内装材挿入時の作業性が向上する。
【００１１】
請求項３に係る発明のように、ウェザストリップがクリップでも止着されるようになっていると、ウェザストリプが長尺方向にずれるのが防止され、ドア開口縁部への保持性が向上する。なお、本発明で用いるクリップは、ウェザストリップのずれを防止するだけの必要最小限に抑えられ、クリップを設けたことによる重量の増加やコスト端を最小限に抑えることができる。
【図面の簡単な説明】
【００１２】
【図１】自動車の側面図。
【図２】図１のＡ−Ａ線における従来例の断面図。
【図３】本発明に係るウェザストリップの概略拡大断面図。
【図４】図３に示すウェザストリップの取付構造を示す断面図。
【発明を実施するための形態】
【００１３】
以下、本発明の実施形態のウェザストリップについて図面により説明する。図中、図２に示す構造と同一構造部分には同一符号を付してある。
【００１４】
図３に示すウェザストリップ１１は、取付部１２と、該取付部１２に一体形成される中空状のシール部３（リップ状のシール部であってもよい）からなり、取付部１２は中空部１３と、凹溝１４を有し、凹溝１４はバリ１５を備えている。
【００１５】
バリ１５は凹溝１４の溝幅方向の一端が凹溝１４を構成する側壁１４ａ、１４ｂのうちの一方の側壁１４ａに一体形成され、溝底側が抉られて薄肉部１５ａとなっている。バリ１５の他端は凹溝１４を構成する側壁１４ａ、１４ｂのうちの他方の側壁１４ｂに薄肉の連結部１６によって連結され、バリ１５を図３の矢印方向に押込むと、連結部１６が容易に分断され、分断後バリ１５が凹溝１４内に矢印方向に押込められるようになっている。
【００１６】
ウェザストリップ１１のロアボデー部への取付けは次のようにして行われる。
【００１７】
ウェザストリップ１１をロアボデー部のパネル４に装着したのち、ロアボデー部の両端と中央部の三か所で取付部１２の中空部１３に通したクリップ５により取付部１２をパネル４に止着する。その後、車室内のフロアに装着される内装材としてのキッキングプレート１７の下向きに折曲した端部１７ａを凹溝１４内に押込む。この押込みに伴ない連結部１６で破断され、側壁１４ｂより分離したバリ１５は薄肉部分で容易に折り曲げられ、凹溝内に押込まれる（図４）。
【００１８】
凹溝内に押込まれたバリ１５は復元力によってキッキングプレート端部１７ａに押付けられ、これによりウェザストリップ１１は、クリップ間においてもキッキングプレート端部１７ａに保持され、うねりを生ずることもなく、見栄えが向上する。またクリップ５による止着はロアボデー部の両端と中央部の三か所で行われるが、クリップ５による止着箇所は少ないため、図２に示す従来例のようにクリップのみで止着するのと比べ、計量化され、コストダウンを図ることができる。
【００１９】
またウェザストリップ１１は、前述するようにロアボデー部の三か所でクリップ５によって止着されるが、これによってウェザストリップ１１のずれが防止されて保持力が向上し、クリップ５も必要最小限の数であるので、重量やコストの増加も僅かですむ。
【００２０】
前記実施形態において、取付部１２は中空部１３を有し、クリップ５の頭部が中空部間に納まるようにしているが、中空部１３を設けないで、凹溝１４を構成する側壁１４ａをパネル４にクリップ５によって止着するようにしてもよいし、クリップ４による止着自体を省くことも可能である。
【００２１】
前記実施形態においてはまた、バリ１５は一方の側壁１４ａに一体形成され、他方の側壁１４ｂに連結部１６によって連結されているが、他方の側壁１４ｂに一体形成されると共に、一方の側壁１４ａに連結部１６によって連結してもよい。
【００２２】
前記実施形態では、バリ１５は他端が側壁１４ｂに連結部１６によって連結されているが、側壁１４ｂと分離して側壁１４ａに断面片持梁状に支持された形状をなしていてもよい。
【００２３】
また図示する実施形態においては、バリ１５の薄肉部分は側壁１４ａとの連結部分に形成されているが、側壁１４ａより離れた箇所であっても、側壁１４ｂよりキッキングプレート端部１６ａの肉厚部だけ離れた箇所に形成しておけば、キッキングプレート端部１７ａの挿入が支障なく行える。
【００２４】
前記実施形態は、ロアボデー部に取付けられるウェザストリップ１１について示したが、本発明が適用されるウェザストリップは前記ウェザストリップ１１に限定されるものではなく、ドア開口縁部の他のウェザストリップを前記ウェザストリップ１１と同様に構成し、内装トリム等の内装材の端部を凹溝内に挿入することにより同様の効果を挙げることができる。
【符号の説明】
【００２５】
３・・中空状のシール部
４・・パネル
５・・クリップ
６・・ドア
１１・・ウェザストリップ
１２・・取付部
１３・・中空部
１４・・凹溝
１５・・バリ
１６・・連結部
１７・・キッキングプレート
【図１】
2014034258.tif 000003
【図２】
2014034258.tif 000004
【図３】
2014034258.tif 000005
【図４】
2014034258.tif 000006